(57)【要約】【課題】従来にないあかりの表情を得ること。【解決手段】実施形態に係る照明装置は、一面に設けられた支持部材と、点灯時に発光する発光面と、発光面の裏側の非発光面とを有し、点灯時に非発光面側から発光面側を視認可能であるとともに、消灯時に発光面と交差する方向に光を透過可能な光源であって、発光面が一面に対向するように支持部材に設けられた光源と、を具備する。【選択図】図１
2016066494.tif 000002
【特許請求の範囲】
【請求項１】
一面に設けられた支持部材と；
点灯時に発光する発光面と、当該発光面の裏側の非発光面とを有し、点灯時に前記非発光面側から前記発光面側を視認可能であるとともに、消灯時に前記発光面と交差する方向に光を透過可能な光源であって、前記発光面が前記一面に対向するように前記支持部材に設けられた光源と；
を具備することを特徴とする照明装置。
【請求項２】
前記光源は点灯時、前記発光面から前記一面に対して照射された光の少なくとも一部が反射し、前記光源を透過して前記非発光面側に出射することを特徴とする請求項１に記載の照明装置。
【請求項３】
前記光源は、前記支持部材に回動可能に支持されており、前記支持部材によって前記非発光面が前記一面に略対向する位置まで回動することを特徴とする請求項１または２に記載の照明装置。
【請求項４】
前記支持部材は筐体に設けられており、前記筐体は、前記光源の前記非発光面が前記一面に略対向する位置のときに前記非発光面と対向し、点灯時に前記発光面側から前記筐体の大部分が視認不可能になることを特徴とする請求項３に記載の照明装置。
【発明の詳細な説明】
【技術分野】
【０００１】
本発明の実施形態は、照明装置に関する。
【背景技術】
【０００２】
近年では、照明装置の光源として、有機ＥＬ（Ｅｌｅｃｔｒｏ−Ｌｕｍｉｎｅｓｃｅｎｃｅ）を利用した有機発光ダイオード、即ち、ＯＬＥＤ（Ｏｒｇａｎｉｃ  Ｌｉｇｈｔ−Ｅｍｉｔｔｉｎｇ  Ｄｉｏｄｅ）が知られている。ＯＬＥＤを用いたＯＬＥＤパネルは、陽極と陰極との間に発光層が配設されており、陽極から正孔を注入し、陰極から電子を注入し、発光層でこれらを再結合することにより、その時に発生するエネルギによって発光する。
【０００３】
一般的なＯＬＥＤパネルの製造方法では、まず、１枚のマザーガラス内に、陽極にはＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）、導電性高分子などの透明電極を用い、陰極にはＡＬやＡｇ等の不透明な電極を順次成膜する。その後、封止キャップをＵＶ硬化樹脂等で接着することで複数のＯＬＥＤパネルを作製する。なお、作製されたＯＬＥＤパネルは、スクライブ装置等で切り出して小分けにされる。
【０００４】
ここで、ＯＬＥＤパネルには、点灯時は片側のみ発光し、消灯時は透明なＯＬＥＤパネルがある。この特殊な点灯、消灯状態を利用した当該ＯＬＥＤパネルの照明装置が開発されている。
【先行技術文献】
【特許文献】
【０００５】
【特許文献１】特開２００８−１８６５９９号公報
【特許文献２】特開２００９−２０６０２８号公報
【発明の概要】
【発明が解決しようとする課題】
【０００６】
本発明が解決しようとする課題は、従来にないあかりの表情を得ることができる照明装置を提供することである。
【課題を解決するための手段】
【０００７】
実施形態の照明装置は、一面に設けられた支持部材と、点灯時に発光する発光面と、発光面の裏側の非発光面とを有し、点灯時に非発光面側から発光面側を視認可能であるとともに、消灯時に発光面と交差する方向に光を透過可能な光源であって、発光面が一面に対向するように支持部材に設けられた光源と、を具備する。
【発明の効果】
【０００８】
本発明によれば、従来にないあかりの表情を得ることができる。
【図面の簡単な説明】
【０００９】
【図１】図１は、実施形態に係る照明装置の側方斜視図である。
【図２】図２は、実施形態に係る照明装置の点灯時の説明図である。
【図３】図３は、実施形態に係る照明装置の作用の説明図である。
【図４】図４は、実施形態に係る照明装置の側方斜視図である。
【図５】図５は、実施形態に係る照明装置の側方斜視図である。
【図６】図６は、実施形態に係る照明装置の上面図である。
【図７】図７は、実施形態に係る照明装置の側面図である。
【図８】図８は、変形例に係る照明装置の側方斜視図である。
【図９】図９は、ＯＬＥＤパネルの詳細断面図である。
【図１０】図１０は、図９のＢ−Ｂ断面図である。
【図１１】図１１は、ＯＬＥＤパネルの作用の説明図である。
【発明を実施するための形態】
【００１０】
以下で説明する実施形態に係る照明装置１は、一面に設けられた支持部材と、点灯時に発光する発光面と、発光面の裏側の非発光面とを有し、点灯時に非発光面側から発光面側を視認可能であるとともに、消灯時に発光面と交差する方向に光を透過可能な光源であって、発光面が一面に対向するように支持部材に設けられた光源と、を具備する。
【００１１】
また、以下で説明する実施形態に係る照明装置１では、光源は、点灯時、発光面から一面に対して照射された光の少なくとも一部が反射し、光源を透過して非発光面側に出射してもよい。
【００１２】
また、以下で説明する実施形態に係る照明装置１では、光源は、支持部材に回動可能に支持されており、支持部材によって非発光面が一面に略対向する位置まで回動してもよい。
【００１３】
また、以下で説明する実施形態に係る照明装置１では、光源は、非発光面が一面と対向しているときに、一面と直交する方向において少なくとも筐体の一部と重なるように筐体に支持される。
【００１４】
また、以下で説明する実施形態に係る照明装置１では、筐体は、一面と、一面と対向する発光面との間に上面を有する。
【００１５】
また、以下で説明する実施形態に係る照明装置１では、支持部材は、筐体に設けられており、筐体は、光源の非発光面が一面に略対向する位置のときに非発光面と対向し、点灯時に発光面側から筐体の大部分が視認不可能になってもよい。
【００１６】
〔実施形態〕
まず、図１を用いて実施形態に係る照明装置１を説明する。図１は、実施形態に係る照明装置１の側方斜視図である。本実施形態に係る照明装置１は、壁に光を照らす照明装置の例である。図１に示すように、照明装置１は、光源１００と、筐体５と、ケース１５とを具備する。
【００１７】
光源１００は、点灯時に発光する発光面１００ａと、発光面１００ａの裏側の非発光面１００ｂとを有する。また、光源１００は、発光面１００ａが一面に対向するように筐体５に設けられる。また、光源１００は、点灯時に非発光面１００ｂ側から発光面１００ａ側を視認可能であるとともに、消灯時に発光面１００ａと交差する方向に光を透過可能である。
【００１８】
このため、非点灯時には、人は、発光面１００ａ側から非発光面１００ｂ側に置かれたものを光源１００を透過して視ることができる。また、非点灯時には、人は、非発光面１００ｂ側から発光面１００ａ側に置かれたものを光源１００を透過して視ることができる。一方、光源１００は、点灯時には、発光面１００ａから発光する。このため、点灯時には、発光面１００ａから発光されているので、人は、発光面１００ａ側から非発光面１００ｂ側に置かれたものを視ることができない。一方、点灯時には、非発光面１００ｂ側から発光面１００ａ側へ光を透過するので、人は、非発光面１００ｂ側から発光面１００ａ側に置かれたものに光を照射しながら光源１００を透過して視ることができる。このような光源１００は、例えば、ＯＬＥＤパネルである。なお、図１の例では、光源１００は、ケース１５に設けられる。
【００１９】
筐体５は、発光面１００ａが一面と対向するように光源１００を支持する。具体的には、後述する支持部１０が光源１００を支持する。図１の例では、筐体５は、発光面１００ａが壁Ｗと対向するように光源１００を支持する。すなわち、筐体５は、発光面１００ａがＸ方向を向く状態で光源１００を支持する例である。なお、Ｘ方向は、壁Ｗと直交する方向である。Ｙ方向は、壁Ｗと平行する方向である。
【００２０】
図１に示すように、筐体５は、取付面５ａと、上面５ｂと、前面５ｃと、側面５ｄとを有する。取付面５ａは、筐体５が有する面のうち、壁等の一面に取り付けられる面である。なお、取付面５ａは、壁に限らず、天井などの一面に取り付けられてもよい。
【００２１】
上面５ｂは、壁Ｗと、壁Ｗと対向する発光面１００ａとの間に位置する載置可能な面である。例えば、上面５ｂ上には、展示物などのものを置く載置面として利用することができる。また、上面５ｂは、取付面５ａと交差する。図１の例では、上面５ｂは、取付面５ａが壁Ｗに取り付けられた状態で壁Ｗと発光面１００ａとの間に位置する上面である。
【００２２】
前面５ｃは、筐体５が有する面のうち取付面５ａと反対側の面である。図１の例では、前面５ｃは、上面５ｂから離れるにつれて取付面５ａとの間の距離が狭まるように湾曲している球面状に形成されている。なお、前面５ｃのうち、後述する支持部１０より−Ｙ方向にある部分を領域５Ｅとする。また、前面５ｃは、球面状に限らず、平板状など各種の形状の面であってもよい。
【００２３】
側面５ｄは、筐体５が有する面のうち取付面５ａ及び上面５ｂと交差する面である。なお、図１には図示しないが、側面５ｄの反対側に、取付面５ａ及び上面５ｂと交差する側面５ｄが存在する。また、側面５ｄは、図１に示す例に限らず、矩形など各種の形状の面であってもよい。
【００２４】
また、筐体５は、一面に設けられた支持部１０（支持部材の一例に相当）を有する。支持部１０は、軸部１０ａと、回動可能なヒンジ１０ｂとを有する。軸部１０ａは、ヒンジ１０ｂが取り付けられる。また、軸部１０ａ及びヒンジ１０ｂは、筐体５のうち前面５ｃに設けられる。例えば、軸部１０ａ及びヒンジ１０ｂは、前面５ｃのうち上面５ｂに近い位置に設けられる。
【００２５】
ヒンジ１０ｂは、軸部１０ａを中心として回動する。また、ヒンジ１０ｂは、ケース１５を介して光源１００が設けられる。言い換えると、光源１００は、支持部１０に回動可能に支持される。また、光源１００は、支持部１０によって非発光面１００ｂが一面に略対向する位置まで回動する。
【００２６】
具体的には、ヒンジ１０ｂは、少なくとも光源１００の発光面１００ａが壁Ｗと対向する位置から非発光面１００ｂが壁Ｗと略対向する位置まで回動可能である。これにより、光源１００は、少なくとも発光面１００ａが壁Ｗと対向する位置から非発光面１００ｂが壁Ｗと対向する位置まで回動可能に筐体５の支持部１０に支持される。図１の例では、ヒンジ１０ｂは、少なくともＹ方向から−Ｙ方向まで回動可能である。
【００２７】
また、図１の例では、筐体５の支持部１０は、壁Ｗと、発光面１００ａと、上面５ｂとに囲まれた空間を照らす状態で光源１００を支持する。すなわち、筐体５は、発光面１００ａが壁Ｗと直交するＸ方向を向く状態で光源１００を支持する例である。言い換えると、筐体５は、光源１００が上側に回動された状態であって、発光面１００ａが壁Ｗと対向し、かつ、ヒンジ１０ｂとＹ方向に並ぶ状態で光源１００を支持する。
【００２８】
このように、照明装置１では、光源１００が壁Ｗと対向するように設けられる。また、照明装置１は、ＯＬＥＤパネル１００が発光時でも光を透過する。このため、照明装置１は、壁Ｗから反射した光を透過して明かりを灯すことができる。例えば、照明装置１では、上面５ｂに置かれたものをライトアップすることができる。この点について、図２及び図３を用いて説明する。
【００２９】
図２は、実施形態に係る照明装置１の点灯時の説明図である。図２の例では、照明装置１は、壁Ｗに筐体５が取り付けられている例である。すなわち、図示しない取付面５ａは、壁Ｗに取り付けられている。また、図２の例では、照明装置１は、筐体５が有する上面５ｂに展示物Ｄ１が置かれている。言い換えると、展示物Ｄ１は、壁ＷとＯＬＥＤパネル１００の図示しない発光面１００ａとの間に置かれている。
【００３０】
また、図２の例では、照明装置１は、ＯＬＥＤパネル１００の発光面１００ａが壁Ｗの方向を向き、展示物Ｄ１を照らしている。人は、非発光面１００ｂ側からＯＬＥＤパネル１００を介して発光面１００ａにより照射された展示物Ｄ１を視ることができる。さらに、照明装置１は、ＯＬＥＤパネル１００が壁Ｗから反射した光を透過して明かりを灯すことができる。このため、照明装置１は、単に光を照射する場合と比較してあかりの表情を変えることができる。例えば、照明装置１は、展示物Ｄ１に対して美感を高めるようなライトアップを実現することができる。
【００３１】
また、ＯＬＥＤパネル１００は、点灯時、発光面１００ａから一面に対して照射された光の少なくとも一部が反射し、ＯＬＥＤパネル１００を透過して非発光面１００ｂ側に出射する。この点について、図３を用いて説明する。図３は、実施形態に係る照明装置１の作用の説明図である。
【００３２】
図３の例では、ＯＬＥＤパネル１００は、例えば、光量が９０である光Ｌ９０を壁Ｗに照射する。この場合、光Ｌ９０は、光量９０のうち光量２７の光Ｌ２７が壁Ｗに吸収される。また、光Ｌ９０は、光量９０のうち光量６３が壁Ｗによって反射される。具体的には、光Ｌ９０は、光源１００に直交して入射する光量５５の光Ｌ５５と、光源１００に直交して入射しない光量８の光Ｌ８となる。そして、光Ｌ５５は、光量５５のうち光量５０の光Ｌ５０がＯＬＥＤパネル１００を透過する。このため、非発光面１００ｂから出射する反射光である光Ｌ５０は、非発光面１００ｂから出射する光量１０の直接光Ｌ１０よりも３倍以上の光量である。これにより、照明装置１は、ＯＬＥＤパネル１００が壁Ｗから反射した光を透過して明かりを灯すことができるので、展示物の美感を高めるようなライトアップを実現することができる。ＯＬＥＤパネル１００の特に陰極の構造や、発光面１００ａと壁Ｗとの距離、壁Ｗの材質や反射率などにより、発光面１００ａや非発光面１００ｂから出光する光の比率や透過率、壁Ｗでの反射する光量、ロスする光量などが変化するものであるから、上記は、一例にすぎないものである。
【００３３】
ここで、光源１００は、壁Ｗと対向する方向に限らず、他の方向を向くように支持されてもよい。例えば、光源１００は、発光面１００ａが天井と対向するように筐体５の支持部１０に支持されてもよい。この点について図３を用いて説明する。図３は、実施形態に係る照明装置の側方斜視図である。図３の例では、筐体５は、図１に示す光源１００の位置から時計回りに９０度回転させた状態で光源１００を支持する。すなわち、筐体５は、発光面１００ａが壁Ｗと直交し、かつ、Ｙ方向を向くように光源１００を支持する。言い換えると、光源１００は、発光面１００ａが天井Ｈと対向するように筐体５に支持される。これにより、照明装置１は、天井をライトアップすることができるので、照明によりアート性を高めることができる。
【００３４】
他の例では、支持部１０は筐体５に設けられており、筐体５は、光源１００の非発光面１００ｂが一面に略対向する位置のときに非発光面１００ｂと対向し、点灯時に発光面１００ａ側から筐体５の大部分が視認不可能になってもよい。例えば、光源１００は、非発光面１００ｂが壁Ｗと対向しているときに、壁Ｗと直交する方向において少なくとも筐体５の一部と重なるように支持部１０に支持されてもよい。
【００３５】
この点について図５を用いて説明する。図５は、実施形態に係る照明装置１の側方斜視図である。図５の例では、筐体５の支持部１０は、図１に示す光源１００の位置から時計回りに１８０度回転させた状態で光源１００を支持する。すなわち、光源１００は、非発光面１００ａが壁Ｗと対向するように筐体５に支持される。言い換えると、光源１００は、非発光面１００ａが−Ｘ方向を向くように筐体５に支持される。
【００３６】
この場合、図５に示すように、照明装置１は、点灯時、光源１００によって筐体５の一部である領域５Ｅを隠すことができる。このため、照明装置１は、例えば、回路などが格納される筐体５の領域５Ｅを隠すことができるので、意匠性を高めることができる。
【００３７】
ケース１５は、光源１００を設けるケースである。ケース１５は、筐体５の支持部１０に設けられる。具体的には、ケース１５は、支持部１０のヒンジ１０ｂに取り付けられる。これにより、ケース１５は、ヒンジ１０ｂによって回動可能となる。このため、ケース１５に設けられる光源１００は、ケース１５と一体になって回動可能となる。
【００３８】
図６は、実施形態に係る照明装置１の上面図である。図６に示すように、筐体５は、ネジ５０によって壁Ｗに取り付けられる。例えば、筐体５は、ネジ５０によって壁や天井に取り付けられる。
【００３９】
図７は、実施形態に係る照明装置１の側面図である。図７の例では、光源１００は、発光面１００ａが上面５ｂと交差する方向を向くように筐体５に支持されている。図７に示すように、筐体５は、ネジ５０によって壁Ｗに取り付けられる。
【００４０】
なお、上述した照照明装置１は、前面５ｃが内側に凹んだ形状であってもよい。例えば、前面５ｃは、上面５ｂから離れるにつれて凹むように湾曲する球面の形状などであってもよい。この場合、照明装置１は、発光面１００ａが少なくとも斜め下向きに向く状態で光源１００を支持することも可能となる。これにより、照明装置１は、床などを照らすこともできるので、多様な用途で用いることができる。
【００４１】
また、照明装置１は、筐体５の内側に各種のものが格納されてもよい。例えば、筐体５の内側には、光源１００を発光させるための回路等が格納されてもよい。これにより、照明装置１は、筐体５のスペースを有効に活用することができる。
【００４２】
また、照明装置１は、発光面１００ａの向きが３６０度回転可能に光源１００が支持部１０に支持されてもよい。この点について、図８を用いて説明する。図８は、変形例に係る照明装置２の側方斜視図である。図８の例では、照明装置２は、支持部５１に支持される。ここで、支持部５１は、図８に示すように、発光面１００ａの向きが３６０度回転可能に光源１００を支持する。例えば、支持部５１は、発光面１００ａが壁Ｗを向く状態から非発光面１００ｂが壁Ｗを向く状態まで光源１００を回動可能に支持する。これにより、照明装置２は、壁に反射して光源１００を透過する光でものを照らす間接照明と非発光面を壁に向けて発光面の光で直接ものを照らす直接照明とを切り替えることができる。
【００４３】
続いて、光源１００の一例であるＯＬＥＤパネル１００について図９〜１１を用いて説明する。図９は、ＯＬＥＤパネル１００の詳細断面図である。ＯＬＥＤパネル１００は、光を透過するガラス材料からなる平板状の部材であるガラス基板３０上に、正孔を伝導する陽極２２と、電子を伝導する陰極２３とが配設されており、発光させる部分で、正孔輸送層２４と電子輸送層２５と発光層２６とが積層されることにより形成されている。このうち、正孔輸送層２４は、陽極２２で伝導された正孔を輸送することが可能になっており、陽極２２におけるガラス基板３０側の反対側に積層されている。
【００４４】
また、電子輸送層２５は、陰極２３で伝導された電子を輸送することが可能になっており、正孔輸送層２４における、陽極２２側の反対側に位置している。また、発光層２６は、積層方向において正孔輸送層２４と電子輸送層２５との間に位置しており、正孔輸送層２４で輸送した正孔と、電子輸送層２５で輸送した電子とが発光層２６で結合することにより、発光層２６の発光材料が発光することが可能になっている。
【００４５】
また、陰極２３は、正孔輸送層２４、発光層２６、電子輸送層２５が積層される部分では、ガラス基板３０から離れ、電子輸送層２５における発光層２６側の反対側の面に配設されている。具体的には、陰極２３は、ガラス基板３０に積層されている部分から離れ、積層されている陽極２２、正孔輸送層２４、発光層２６、電子輸送層２５との間に絶縁部２７を介在させて、電子輸送層２５における発光層２６側の反対側の面にかけて配設されている。これにより、陰極２３は、当該陰極２３で伝導する電子を、電子輸送層２５のみに対して受け渡すことが可能になっている。
【００４６】
このように、ガラス基板３０における一方の面に配設される陽極２２や陰極２３、正孔輸送層２４、発光層２６、電子輸送層２５が積層される側の面には、これらが配設された状態で、封止ガラス３１が配設され、封止部材３２により支持されている。例えば、封止ガラス３１は、ガラス基板３０と同様にガラス材料によって形成される等、光を透過する材料によって板状に形成されている。
【００４７】
また、封止部材３２も同様に光を透過する材料からなり、ガラス基板３０における陽極２２や陰極２３等が配設されている側の面に、封止部材３２を介在させて封止ガラス３１を重ねることにより、ガラス基板３０側に対して封止ガラス３１を支持する部材になっている。陽極２２や陰極２３等が配設されたガラス基板３０は、封止部材３２を介して封止ガラス３１を配設し、さらに双方の間に光を透過する封止剤３４を封入することにより、ガラス基板３０における各部材が配設された側の面を封止する。
【００４８】
このように形成されるＯＬＥＤパネル１００は、ガラス基板３０側と封止ガラス３１側とのうち、ガラス基板３０側が、ＯＬＥＤパネル１００の点灯時に光を照射する発光面１００ａになっている。即ち、ＯＬＥＤパネル１００は、ガラス基板３０における、陽極２２等が配設される側の反対側の面が、発光面１００ａになっている。言い換えると、発光面１００ａは、非発光面１００ｂの裏側の面である。ＯＬＥＤパネル１００は、発光面１００ａが下方側に面し、封止ガラス３１側が連通孔内に位置する向きで、連通孔の一端側に配設されている。
【００４９】
また、ＯＬＥＤパネル１００を構成する部材のうち、陽極２２は、透明導電膜であるＩＴＯ電極が用いられている。また、正孔輸送層２４、発光層２６、電子輸送層２５も、光を透過する材料によって形成されることにより、または、薄膜であることにより、光を透過することが可能になっている。一方、陰極２３はアルミニウムや銀等の、電気伝導率が高く、光を透過せずに反射する高反射部材により形成されている。
【００５０】
図１０は、図９のＢ−Ｂ断面図である。すなわち、図１０は、陰極２３の断面図である。高反射部材により形成される陰極２３は、例えば微細配線となって、所定の配線パターンで形成されており、ＯＬＥＤパネル１００を厚さ方向に見た場合、隣り合う陰極２３と陰極２３との間は、空隙３６になっている。陰極２３は、光を透過しない部材によって形成される一方、他の部材は光を透過するようになっているため、ＯＬＥＤパネル１００を厚さ方向に見た場合は、陰極２３の位置では光を透過せず、陰極２３と陰極２３との間の空隙３６では、光を透過することが可能となる。このため、ＯＬＥＤパネル１００は、光が空隙３６を透過することにより、非点灯時には光を透過することが可能となる。なお、ＯＬＥＤパネル１００を厚さ方向に見た場合における陰極２３と空隙３６との割合は、所望の光の透過率に応じて適宜設定するのが好ましい。
【００５１】
続いて、図１１を用いて、ＯＬＥＤパネル１００の作用について詳細に説明する。図１１は、ＯＬＥＤパネル１００の説明図である。まず、図１１を用いて、ＯＬＥＤパネル１００の非点灯時の作用について詳細に説明する。
【００５２】
ＯＬＥＤパネル１００は、非点灯時には電気が印加されず、正孔や電子が供給されないため、発光層２６では発光が行われない。すなわち、非点灯時には、ＯＬＥＤパネル１００から照射する光はない。また、ＯＬＥＤパネル１００に対して厚さ方向に入射する光は、陰極２３のみで遮光され、空隙３６の部分では透過する。このため、ＯＬＥＤパネル１００におけるガラス基板３０側にいる人は、陰極２３側からガラス基板３０側に向かい、空隙３６を透過してから電子輸送層２５、発光層２６、正孔輸送層２４、陽極２２を透過し、さらにガラス基板３０を透過する透過光Ｔ１を視認することができる。同様に、ＯＬＥＤパネル１００における陰極２３側にいる人は、ガラス基板３０側から陰極２３側に向かい、空隙３６を透過した透過光Ｔ２を視認することができる。
【００５３】
続いて、図１１を用いて、ＯＬＥＤパネル１００の点灯時の作用について詳細に説明する。ＯＬＥＤパネル１００を点灯させる際には、ＯＬＥＤパネル１００に電気を印加する。これにより、陽極２２では正孔を伝導し、伝導した正孔は、正孔輸送層２４によって発光層２６に向けて輸送する。また、陰極２３では電子を伝導し、伝導した電子は、電子輸送層２５によって発光層２６に向けて輸送する。正孔輸送層２４で輸送された正孔と、電子輸送層２５で輸送された電子とが発光層２６に運び込まれると、これらの正孔と電子とは、発光層２６で結合する。これにより、発光層２６の発光材料が発光する。
【００５４】
発光層２６で発光した光のうち、ガラス基板３０側に向かう光は、正孔輸送層２４や、透明電極からなる陽極２２を透過し、さらにガラス基板３０を透過することにより、照射光Ｌ１として発光面１００ａから出射する。
【００５５】
一方、発光層２６で発光した光のうち、陰極２３側に向かう光は、電子輸送層２５を透過して陰極２３に到達する。陰極２３は、光を透過しないで反射する高反射部材により形成されているため、陰極２３に到達した光は、陰極２３で反射される。陰極２３で反射された光は、ガラス基板３０側の方向に向かい、発光層２６からガラス基板３０側に向かう光と同様に、照射光Ｌ１として発光面１００ａから出射する。ＯＬＥＤパネル１００の点灯時は、このように照射光Ｌ１が発光面１００ａから出射することにより、発光面１００ａが位置する側の方向に光が照射される。
【００５６】
また、ＯＬＥＤパネル１００の点灯時においても、空隙３６を透過することにより光はＯＬＥＤパネル１００を透過する。このため、陰極２３側からＯＬＥＤパネル１００に入射した光は、ＯＬＥＤパネル１００を透過する透過光Ｔ１となってガラス基板３０側に透過する。
【００５７】
しかし、陰極２３側からガラス基板３０側に透過する透過光Ｔ１は、ＯＬＥＤパネル１００の点灯時に発光面１００ａから出射する照射光Ｌ１に対して、光量が少なくなっている。このため、ガラス基板３０側にいる人は、陰極２３側からガラス基板３０側に向かう透過光Ｔ１を視認することは困難なものとなっている。つまり、ＯＬＥＤパネル１００の点灯時の照射光Ｌ１は、陰極２３側からガラス基板３０側に向かう透過光Ｔ１よりも、光量が多いため、この透過光Ｔ１は、照射光Ｌ１にかき消されてしまう。このため、ＯＬＥＤパネル１００におけるガラス基板３０側にいる人は、陰極２３側からガラス基板３０側に向かう透過光Ｔ１を視認することが非常に困難、或いは、視認することが出来なくなっている。一方、ＯＬＥＤパネル１００における陰極２３側にいる人は、ガラス基板３０側から封止ガラス３１側に向かう透過光Ｔ２を視認することができる。
【００５８】
このように、ＯＬＥＤパネル１００の点灯時は、ガラス基板３０側、即ち、発光面１００ａ側から照射光Ｌ１を照射し、ガラス基板３０側から陰極２３側に透過する透過光Ｔ２のみを視認することが可能になっている。
【００５９】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００６０】
１  照明装置
５  筐体
５ａ  取付面
５ｂ  上面
５ｃ  前面
５ｄ  側面
１０ａ  軸部
１０ｂ  ヒンジ
１００  光源
１００ａ  発光面
１００ｂ  非発光面
【図１】
2016066494.tif 000003
【図２】
2016066494.tif 000004
【図３】
2016066494.tif 000005
【図４】
2016066494.tif 000006
【図５】
2016066494.tif 000007
【図６】
2016066494.tif 000008
【図７】
2016066494.tif 000009
【図８】
2016066494.tif 000010
【図９】
2016066494.tif 000011
【図１０】
2016066494.tif 000012
【図１１】
2016066494.tif 000013